(57)【要約】【課題】  周囲温度の影響が小さく、温度変化や微小な荷重変化を検知せず、侵入者など検知対象による荷重変化だけを検知できる光ファイバ式荷重センサを得るものである。【解決手段】  構造体５との間に隙間を設けて設置され、荷重により上記隙間が狭くなる方向にたわむ長尺状の第１の弾性体１と、この第１の弾性体１よりも断面積および幅が小さく、隙間の第１の弾性体１あるいは構造体５のいずれかに一方の端部が固定され、他方の端部と構造体あるいは第１の弾性体との間に空隙を有し、第１の弾性体１よりもたわみ易い第２の弾性体２と、この第２の弾性体に取り付けられた光ファイバブラッググレーティング３と、この光ファイバブラッググレーティングに連結した光検出器とを備えたものである。【選択図】  図１
2006201071.tif 000002
【特許請求の範囲】
【請求項１】
構造体との間に隙間を設けて設置され、荷重を受けて上記構造体側へたわむ長尺状の第１の弾性体と、
この第１の弾性体の長手方向に垂直な面の断面積および幅よりも小さく、上記隙間で上記第１の弾性体あるいは上記構造体のいずれか一方に固定され、他方の上記構造体あるいは上記第１の弾性体との間に空隙を有するように配置され、上記第１の弾性体よりもたわみ易い第２の弾性体と、
この第２の弾性体のたわむ部分に回折格子縞が配置されるように固定された光ファイバブラッググレーティングと、
この光ファイバブラッググレーティングに連結した光検出器と
を備えたことを特徴とする光ファイバ式荷重センサ。
【請求項２】
第２の弾性体は、第１の弾性体より熱膨張係数が小さいことを特徴とする請求項１記載の光ファイバ式荷重センサ。
【請求項３】
第２の弾性体は、薄板状であり、一方の端部が構造体あるいは第１の弾性体のいずれかに固定されていることを特徴とする請求項１記載の光ファイバ式荷重センサ。
【請求項４】
第２の弾性体は、両端部にスペーサを備え、このスペーサで構造体あるいは第１の弾性体のいずれかに固定されていることを特徴とする請求項１記載の光ファイバ式荷重センサ。
【請求項５】
第２の弾性体は、第１の弾性体よりも、弾性率が小さいことを特徴とする請求項１記載の光ファイバ式荷重センサ。
【請求項６】
請求項１記載の光ファイバ式荷重センサを複数配置し、上記光ファイバ式荷重センサの光ファイバブラッググレーティングを直列または並列に連結したことを特徴とする侵入者検知システム。
【発明の詳細な説明】
【技術分野】
【０００１】
この発明は、光ファイバブラッググレーティングを利用した荷重センサと、それを用いた侵入者検知システムとに関するものである。
【背景技術】
【０００２】
一般に、外力による材料や構造物の変形を測定する方法のひとつして、光ファイバブラッググレーティングを用いる方法が知られている。光ファイバブラッググレーティングとは、屈折率が周期的に変化した回折格子縞をもつ光ファイバのことであり、この光ファイバに入射した光のうち、回折格子縞の間隔に対応した特定の波長の光だけを反射する性質をもっている。光ファイバブラッググレーティングを用いた荷重センサでは、光ファイバブラッググレーティングが測定対象物に接着あるいは埋め込むなどして一体化されており、測定対象物の変形に応じて光ファイバブラッググレーティングも変形して回折格子縞の間隔が変化する。この回折格子縞の間隔の変化を、光ファイバブラッググレーティングに光を入射したときの反射光の波長変化として検知することで測定対象物の変形を検出している。
【０００３】
従来の、光ファイバブラッググレーティングを用いた荷重センサにおいては、外力によって容易にかつ再現性よく伸縮、湾曲あるいは振動するような板バネを測定対象物に取り付け、この板バネの長手方向に沿って光ファイバブラッググレーティングを固定して板バネの変形量を検出していた（例えば、特許文献１参照）。
【０００４】
【特許文献１】特開２００３−２２２５０７号公報（第２頁、図１）
【発明の開示】
【発明が解決しようとする課題】
【０００５】
しかし、光ファイバブラッググレーティングの回折格子縞の間隔は、光ファイバブラッググレーティングの変形だけでなく温度でも変化する。従来の光ファイバブラッググレーティングを用いた荷重センサにおいては、光ファイバブラッググレーティングの温度変化による反射光の波長変化を補正する機能を有しないため、この荷重センサを屋外のフェンスなどに設置して侵入者検知に用いる場合、温度変化による反射光の波長変化も荷重が加わったものとして検知してしまう問題があった。とくに金属製の板バネは熱膨張が大きいため、測定対象物の変形以上に変形して光ファイバブラッググレーティングの波長変化を増大させるという問題もあった。また、フェンスが風で揺れたりものが当たったりした場合の微小な荷重による波長変化も検知してしまうという問題もあった。
【０００６】
この発明は、上記のような課題を解決するためになされたもので、微小な荷重変化を検知せず、周囲温度の影響よりも侵入者など検知対象による荷重変化を大きく拡大して検知できる荷重センサを得るものである。
【課題を解決するための手段】
【０００７】
この発明に係る光ファイバ式荷重センサにおいては、構造体との間に隙間を設けて設置され、荷重を受けて上記構造体側へたわむ長尺状の第１の弾性体と、この第１の弾性体よりも断面積および幅が小さく、隙間で第１の弾性体あるいは構造体のいずれか一方に固定され、他方の構造体あるいは第１の弾性体との間に空隙を有するように配置され、第１の弾性体よりもたわみ易い第２の弾性体と、この第２の弾性体のたわむ部分に回折格子縞が配置されるように固定された光ファイバブラッググレーティングと、この光ファイバブラッググレーティングに連結した光検出器とを備えたものである。
【発明の効果】
【０００８】
この発明は、光ファイバブラッググレーティング（以下、ＦＢＧと記載）が取り付けられた第２の弾性体の断面積および幅が第１の弾性体よりも小さいので、第１の弾性体の変形量より第２の弾性体の変形量を拡大することができとともに、熱膨張係数が第２の弾性体の方が第１の弾性体よりも小さいので、荷重変化の検知における周囲温度の影響を相対的に小さくすることできる。さらに、測定対象物である第１の弾性体が温度変化や微小な荷重変化によって変形しても、第２の弾性体と空隙を介して対向している構造体あるいは第１の弾性体とが接触するまでは第２の弾性体の変形は起こらないので、温度変化や微小な荷重変化を検知せずに大きな荷重変化だけを検知することができる。
【発明を実施するための最良の形態】
【０００９】
実施の形態１．
図１は、この発明を実施するための実施の形態１における光ファイバ式荷重センサを示す模式図である。光ファイバ式荷重センサを、フェンスなどに取り付けて侵入者の検知に用いることを想定した場合、荷重が加わる第１の弾性体としては、数百ｋｇの荷重に対して破壊されないことが必要であり、鉄製のものなどが使用される。図１において、第１の弾性体１は、長さ２０００ｍｍ、幅７６ｍｍ、肉厚５ｍｍ、質量約１４ｋｇの断面がコ字型で長尺状の鉄製のチャネル鋼であり、コ字型の内側底面のほぼ中央に第２の弾性体２が取り付けられている。第２の弾性体２は、約４５度の傾斜面をもつ断面Ｖ型の薄板状のもので、傾斜面が第１の弾性体１の長辺方向に対してほぼ垂直になる方向に取り付けられており、この傾斜面にＦＢＧ３が固定されている。
【００１０】
図２は、第２の弾性体２の拡大図である。第２の弾性体２は、厚さ１．５ｍｍの熱可塑性のカーボンファイバーレインフォースドプラスチック（以下、ＣＦＲＰと記載）を幅１０ｍｍの短冊状に切断した２つの板を約４５度傾斜するように接着して過熱成形したもので、傾斜面の長さは４６ｍｍである。ＣＦＲＰの熱膨張係数は、第１の弾性体１の素材である鉄の熱膨張係数よりも小さい。ＦＢＧ３は、第２の弾性体２の傾斜面の内側面（傾斜面の面積が小さい面）に傾斜面の中心線に対して約３０度傾けた方向に固定されている。ＦＢＧ３の回折格子縞４は、第２の弾性体２に斜めに固定された部分に形成されている。
【００１１】
図３は、本実施の形態における、光ファイバ式荷重センサを構造体５に取り付けたときの側面図である。構造体５は、第１の弾性体１に荷重が加わっても変形しない材料で作製されているか、あるいは荷重が加わらない構成にすることで、第１の弾性体１に荷重が加わっても変形しないように構成されている。第１の弾性体１の両端部のコ字型内側と構造体５との間に支持体６を挟んで隙間を設け、第２の弾性体２の傾斜面の端部と構造体５との間に０．３ｍｍの空隙が残るように配置している。ＦＢＧ３には、光を入射させて回折格子縞４から反射される光の波長変化を検知する光検出器（図示せず）が連結されている。図４は、光ファイバ式荷重センサを図３の右側から見た側面図である。図４において、図３に示す右側に配置された支持体６を除いて示している。ＦＢＧ３は、第２の弾性体２の傾斜面の内側面に斜めに固定されており、第２の弾性体２は、支持体６により構造体５との間に空隙が残るように配置されている。
【００１２】
次に、本実施の形態における動作について説明する。図３において、矢印Ａの方向から第１の弾性体１の中央部に荷重が加わると、第１の弾性体１の中央部は構造体５の方向にたわむ。このとき、荷重が小さいと第１の弾性体１の中央部がたわんでも、第２の弾性体２は構造体５に近づくが、空隙があるために構造体５との接触には至らない。大きな荷重が加わると、第２の弾性体２は構造体５と接触し、第２の弾性体２は変形する。第２の弾性体２に固定されたＦＢＧ３も同時に変形するので、回折格子縞４の間隔も変化する。その結果、回折格子縞４で反射される光の波長が変化したことを光検出器で検出して、第１の弾性体１に荷重が加わったことを検知することができる。このとき、第２の弾性体２の傾斜面が屈曲するようにたわむので、第１の弾性体の変形量よりも第２の弾性体の変形量が大きくなる。
【００１３】
さらに、具体的な変形量について説明する。第１の弾性体１に矢印Ａの方向から５ｋｇの荷重を加えると、第１の弾性体１は約０．３ｍｍたわむ。このときに第２の弾性体２と構造体５との間に０．３ｍｍの空隙があったので、この荷重では第２の弾性体２の端部が構造体５に接触するが、第２の弾性体２の変形は起こらない。つまり、荷重５ｋｇまでは第２の弾性体２は変形しないので、光ファイバ式荷重センサは、荷重が加わったことを検知しない。次に、第１の弾性体１に１０ｋｇの荷重を加えると、第１の弾性体１は、０．７ｍｍたわみ、コ字型の内側底面では２７μεの変形を生じた。この変形量は第１の弾性体１の温度変化に換算すると２．７℃に相当する。このとき、第２の弾性体２は構造体５に接触して変形し、傾斜面の内側面は３００μεの変形が生じた。この変形量は第１の弾性体１の温度変化に換算すると３０℃に相当する。ここで、［με］とは変形量を表す単位であり、長さ１ｍのものが１０−６ｍ伸びた場合が１μεである。
【００１４】
さらに、第１の弾性体１に２０ｋｇの荷重を加えると、第１の弾性体１は、１．３ｍｍたわみ、コ字型の内側底面では５３μεの変形を生じた。この変形量は温度変化に換算すると５．３℃に相当する。このとき、第２の弾性体２の傾斜面は７１０μεの変形が生じ、この変形量は温度変化に換算すると７１℃に相当する。
【００１５】
このような荷重を加える動作を行ったときの環境の温度変化は約５℃と推定される。また、第２の弾性体２の傾斜部内側面には、ＦＢＧ３が固定されているので、傾斜面の変形量に応じて回折格子縞の間隔も変化しており、光検出器で反射される光の波長変化を検出して、第１の弾性体１に加わった荷重を検知することができる。
【００１６】
本実施の形態においては、ＦＢＧを固定した第２の弾性体の熱膨張係数が、荷重の加わる第１の弾性体の熱膨張係数より小さいので、環境の温度変化によるＦＢＧの変形量を小さくなり、環境の温度変化の影響をより小さくすることができる。また、第２の弾性体と構造体との間に空隙を設けているので、温度変化や微小な荷重変化は検知せず、大きな荷重変化だけを検知することができる。さらには、第２の弾性体の厚みおよび幅を第１の弾性体より小さくしているので、第１の弾性体の変形量よりも第２の弾性体の変形量が大きくすることができ、その結果、荷重による変形量を、環境の温度変化による変形量よりも大きくすることができるので、環境の温度変化の影響を相対的に小さくすることができる。上述のように、第１の弾性体に１０ｋｇの荷重を加えたときに、第１の弾性体の変形量は２．７℃の温度変化に相当するのに対して、第２の弾性体の変形量は３０℃の温度変化に相当する。環境の温度変化が約５℃であったと推定されるとき、第１の弾性体の変形量を測定していたのでは、その変形の要因が環境の温度変化であるのか、荷重であるのか判別できないが、第２の弾性体の変形量を測定することで、環境の温度変化以上の変形量となるので、変形要因が荷重であると判定することができる。
【００１７】
なお、本実施の形態においては、第１の弾性体として鉄製のチャネル鋼を用いたが、他の材料や形状、例えば、アルミニウム製で形状がレール状のものなどでもよい。第１の弾性体としては、侵入者などの荷重で破壊されずにたわむものであればよい。また、第２の弾性体として、ＣＦＲＰを用いたが、これに制限されるものではなく、第１の弾性体よりも熱膨張係数が小さく、厚みや幅が小さいものであればよい。厚みや幅を小さくすることにより、同じ荷重を受けたときに、第２の弾性体の方が第１の弾性体よりも変形量が大きくなり、温度変化の影響を小さくすることができる。さらには、第２の弾性体の弾性率は、第１の弾性体の弾性率よりも小さい方が第２の弾性体の変形量が大きくなり、温度変化の影響をさらに小さくすることができる。
【００１８】
また、本実施の形態においては、ＦＢＧを第２の弾性体の傾斜面の内側面に傾斜面の中心線に対して約３０度傾けた方向に固定しているが、この理由は、第２の弾性体の変形が最も大きい中心線部分よりもＦＢＧの変形量を小さくするためであり、必ずしも約３０度傾けて固定する必要はない。変形量が小さいと温度変化の影響が大きくなるが、変形量が大きすぎるとＦＢＧの破断の恐れがあるため、ＦＢＧの取り付け位置や角度を適宜選択することで、測定荷重の範囲とＦＢＧの変形量とを調整することができる。
【００１９】
また、本実施の形態においては、第２の弾性体を第１の弾性体の最もたわみが大きい中央部に取り付けたが、中央部からずらしてたわみの少ない位置に取り付けてもよい。このように構成することにより、ＦＢＧを傾けて取り付けたことと同様に、測定荷重の範囲とＦＢＧの変形量とを調整することもできる。
【００２０】
さらに、本実施の形態では、第２の弾性体を第１の弾性体に取り付けたが、構造体に取り付けてもよい。この場合、第２の弾性体と第１の弾性体との間に空隙を設ける必要がある。
【００２１】
また、本実施の形態においては、第２の弾性体としては、第１の弾性体への取り付け面が広くなるように約４５度の傾斜部をもつ断面Ｖ型の形状のものを用いたが、図５に示すように、薄板状の薄い第２の弾性体２を三角柱状の固定用治具７とともに第１の弾性体に固定してもよい。この場合、回折格子縞４は、第２の弾性体２の変形しやすい部分に取り付けることが好ましい。
【００２２】
実施の形態２．
図６は、実施の形態２における、光ファイバ式荷重センサの模式図である。図６において、本実施の形態では、実施の形態１と同様な構成に追加して、第１の弾性体１と構造体５との隙間に、一部の隙間の間隔が狭くなるようにストッパー８を設けたものである。ストッパー８は、構造体５に固定されている。
【００２３】
このように構成することにより、第１の弾性体１に過大な荷重が加わって中央部が大きくたわんでも、第１の弾性体１はストッパー８より下へは変形することがない。つまり、測定荷重範囲を超えた過大な荷重が加わっても、第１の弾性体の変形量に制限があるので、第２の弾性体も必要以上に変形することがなく、第２の弾性体の破断やＦＢＧの破断などを防ぐことができる。
【００２４】
なお、本実施の形態においては、ストッパーを構造体に固定した例を示したが、第１の弾性体に固定してもよい。
【００２５】
実施の形態３．
図７は、実施の形態３における、光ファイバ式荷重センサの模式図である。図７において、第１の弾性体１は、長さ２０００ｍｍ、幅５０ｍｍ、肉厚５ｍｍ、質量約１２ｋｇで断面形状がＬ字型の鉄製の山形鋼であり、一方の内側底面のほぼ中央に第２の弾性体２が取り付けられている。第２の弾性体２にはＦＢＧ３が固定されている。第２の弾性体２およびＦＢＧ３の構成は、実施の形態１と同様のものである。構造体５は、断面がＬ字型であり、水平方向の面の上面と、第１の弾性体１の両端部の内側との間に支持体６を挟んで隙間を設け、第２の弾性体２の傾斜部と構造体５の水平方向の面の上面との間に０．３ｍｍの空隙が残るように配置している。図８は、光ファイバ式荷重センサを図７の右側から見た側面図であり、図７に示す右側に配置された支持体６を除いて示している。
【００２６】
このように構成することにより、光ファイバ式荷重センサを構造体の下部に取り付けることができる。
【００２７】
なお、本実施の形態においては、第１の弾性体として、断面形状がＬ字型の鉄製の山形鋼を用いた例を示したが、第１の弾性体の断面形状はこれに限定されるものではなく、断面形状がＨ型、円型などでもよい。また、パイプ状であってもよく、荷重が加わることでたわむような長尺状であればよい。
【００２８】
実施の形態４．
図９は、実施の形態４における、光ファイバ式荷重センサの模式図である。第１の弾性体１、第２の弾性体２およびＦＢＧ３は実施の形態１と同様なものを用いているが、第２の弾性体２の取り付け方向が実施の形態１に対して、約９０度回転した方向になっている。つまり、第２の弾性体２の傾斜面が第１の弾性体１の長辺方向に対してほぼ平行になる方向に取り付けられている。図１０は、図９に示した光ファイバ式荷重センサを、図３に示す実施の形態１と同様に構造体５に配置したときの左側から見た側面図であり、左側に配置される支持体を除いて示している。
【００２９】
実施の形態１においては、ＦＢＧが第２の弾性体に固定されている部分の近傍で、ＦＢＧの方向を約９０度変えるために小さい曲率半径で曲げる必要があるが、本実施の形態では、ＦＢＧの導入方向と第２の弾性体に固定される方向とがほぼ同じであるため小さい曲率半径で曲げる必要がなく、ＦＢＧの破断などの不具合発生がさらに少なくなるとともに、ＦＢＧの取り付けが簡単になる。
【００３０】
実施の形態５．
図１１は、実施の形態５における、光ファイバ式荷重センサの側面図である。本実施の形態においては、実施の形態１と同様な第１の弾性体１において、コ字型の内側底面のほぼ中央に下向きに突起９を設け、この突起９の直下に空隙を設けて第２の弾性体２を配置したものである。第２の弾性体２は、構造体５との間にスペーサ１０を配置して、第２の弾性体２の中央部と構造体５との間に空間があるように配置している。図１２は、本実施の形態における、第２の弾性体の模式図である。第２の弾性体２の両端にスペーサ１０を取り付け、このスペーサ１０で構造体（図示せず）に固定している。ＦＢＧ３は、第２の弾性体２の裏面（構造体に対向した面）に、回折格子縞４が第２の弾性体２のほぼ中央に位置するように固定している。
【００３１】
本実施の形態における動作について説明する。図１１に示す矢印Ａの方向から第１の弾性体１に荷重が加わると、第１の弾性体１がたわんで、中央部の突起９が下方に移動する。このとき、突起９と第２の弾性体２との間に空隙があるので、温度変化や微小な荷重では突起９は第２の弾性体２に接触しない。ある程度の大きさの荷重が加わったときに、突起９は第２の弾性体２に接触して、第２の弾性体２の変形が始まる。第２の弾性体２は、第１の弾性体に比べて、厚さおよび幅が小さいので、第１の弾性体１より変形量が大きくなり、第２の弾性体２の裏面に固定したＦＢＧ３が変形して、反射光の波長が変化することにより、荷重を検知することができる。
【００３２】
このように構成した光ファイバ式荷重センサでは、第２の弾性体を両端で固定しているので、第２の弾性体の形状が安定し、信頼性も高くなる。また、メンテナンス時における第２の弾性体の交換と位置再現性が高くなり、利便性が向上する。
【００３３】
なお、本実施の形態においては、第１の弾性体に突起を設け、第２の弾性体を構造体に固定したが、突起と第２の弾性体との固定を逆にしてもよい。
【００３４】
実施の形態６．
図１３は、実施の形態６における、侵入者検知システムの模式図である。本実施の形態においては、構造体としてのフェンス１１の上端部に、実施の形態１に示した光ファイバ式荷重センサを複数設置したものである。第１の弾性体１は支持体（図示せず）を介してフェンス１１に固定されており、それぞれの光ファイバ式荷重センサは、第１の弾性体１のコ字型内面に第２の弾性体（図示せず）が実施の形態１と同様に取り付けられている。複数の光ファイバ式荷重センサのＦＢＧ３は直列に連結されており、それぞれの光ファイバ式荷重センサにおけるＦＢＧの回折格子縞の間隔は、反射される特定波長が１ｎｍずつ異なるように設定されている。通常、ＦＢＧ３に連結され、ＦＢＧから反射される光の波長を検知する光検出器では、Ｃバンドと呼ばれる波長１５２７〜１５６７ｎｍの光を放射する光源が用いられており、測定荷重範囲で最大波長シフトを１ｎｍ以下に設定すると、最大４０個の光ファイバ式荷重センサを連結することができる。
【００３５】
このように構成された侵入者検知システムにおいては、侵入者１２がフェンスを乗り越えるときにフェンスの上端部に設置された光ファイバ式荷重センサの第１の弾性体１に体重をかけることにより、光ファイバ式荷重センサで荷重が加わったことを検知できるので、直ちに警報を鳴らすなどの処置ができる。また、それぞれの光ファイバ式荷重センサから反射される光の波長が異なることから、波長変化がどの光ファイバ式荷重センサで発生したかわかるので、侵入者１１の侵入位置を特定することもできる。さらには、実施の形態１において説明したように、第２の弾性体と構造体（フェンス）との間に０．３ｍｍの空隙を設けているので、５ｋｇ以下の荷重には光ファイバ式荷重センサは動作しないため、フェンスが風で揺れたりものが当たったりした場合の微小な荷重は検知せず、侵入者などの異常のみを検知することができる。
【００３６】
なお、本実施の形態においては、ＦＢＧを直列に連結した例を示したが、ＦＢＧを並列に連結しても同様な効果がある。
【図面の簡単な説明】
【００３７】
【図１】この発明の実施の形態１による光ファイバ式荷重センサの模式図である。
【図２】この発明の実施の形態１による第２の弾性体の拡大図である。
【図３】この発明の実施の形態１による光ファイバ式荷重センサの側面図である。
【図４】この発明の実施の形態１による光ファイバ式荷重センサの側面図である。
【図５】この発明の実施の形態１による第２の弾性体の拡大図である。
【図６】この発明の実施の形態２による光ファイバ式荷重センサの模式図である。
【図７】この発明の実施の形態３による光ファイバ式荷重センサの模式図である。
【図８】この発明の実施の形態３による光ファイバ式荷重センサの側面図である。
【図９】この発明の実施の形態４による光ファイバ式荷重センサの模式図である。
【図１０】この発明の実施の形態４による光ファイバ式荷重センサの側面図である。
【図１１】この発明の実施の形態５による光ファイバ式荷重センサの側面図である。
【図１２】この発明の実施の形態５による第２の弾性体の模式図である。
【図１３】この発明の実施の形態６による侵入者検知システムの模式図である。
【符号の説明】
【００３８】
１  第１の弾性体、        ２  第２の弾性体、        ３  ＦＢＧ
４  回折格子縞、          ５  構造体、              ６  支持体
７  固定用治具、          ８  ストッパー、          ９  突起
１０  スペーサ、          １１  フェンス、          １２  侵入者
【図１】
2006201071.tif 000003
【図２】
2006201071.tif 000004
【図３】
2006201071.tif 000005
【図４】
2006201071.tif 000006
【図５】
2006201071.tif 000007
【図６】
2006201071.tif 000008
【図７】
2006201071.tif 000009
【図８】
2006201071.tif 000010
【図９】
2006201071.tif 000011
【図１０】
2006201071.tif 000012
【図１１】
2006201071.tif 000013
【図１２】
2006201071.tif 000014
【図１３】
2006201071.tif 000015